(57)【要約】【課題】スライディングクリップを用いてガイドレールを取付ブラケットに固定する際に、作業者が一人であっても、ボルトの締付作業を片手で且つ簡単に行うことができるようにする。【解決手段】本締付治具は、本体板７の長辺側７ａからなる本体部と、スライディングクリップ３に着脱自在に固定される固定部８と、本体板７の短辺側７ｂからなる回転規制部とを備える。上記回転規制部は、固定部８がスライディングクリップ３に固定された状態で、スライディングクリップ３の立上り部３ａ及び六角ボルト５の頭部間に配置されることにより、六角ボルト５の回転を規制する。【選択図】図７
2012086960.tif 000002
【特許請求の範囲】
【請求項１】
エレベーター昇降路内の取付ブラケットに、六角ボルトを用いて所定のスライディングクリップを取り付ける際に使用されるエレベーター用ガイドレールクリップの締付治具であって、
本体部と、
前記本体部に設けられ、前記スライディングクリップに着脱自在に固定される固定部と、
前記本体部に設けられ、前記固定部が前記スライディングクリップに固定された状態で、前記スライディングクリップ及び前記六角ボルト間に配置され、前記六角ボルトの回転を規制する回転規制部と、
を備えたことを特徴とするエレベーター用ガイドレールクリップの締付治具。
【請求項２】
前記スライディングクリップは、板状部材が折り曲げられることによって形成され、ガイドレールを押さえ付ける一側及び前記取付ブラケットに固定される他側間に段差を形成するための立上り部が設けられ、
前記回転規制部は、前記固定部が前記スライディングクリップに固定された状態で、前記スライディングクリップの前記立上り部及び前記六角ボルトの頭部間に配置され、前記六角ボルトの回転を規制する
ことを特徴とする請求項１に記載のエレベーター用ガイドレールクリップの締付治具。
【請求項３】
前記回転規制部に着脱自在に構成された規制補助部と、
を更に備え、
前記規制補助部は、要時に前記回転規制部に固定されることにより、前記固定部が前記スライディングクリップに固定された状態で、前記スライディングクリップの前記立上り部及び前記六角ボルトの頭部間に、前記回転規制部と共に配置され、前記六角ボルトの回転を規制することを特徴とする請求項２に記載のエレベーター用ガイドレールクリップの締付治具。
【請求項４】
前記固定部は、前記本体部に設けられた磁石からなり、前記回転規制部が前記スライディングクリップ及び前記六角ボルト間に配置された状態で、前記スライディングクリップの前面に吸着固定されることを特徴とする請求項１から請求項３の何れかに記載のエレベーター用ガイドレールクリップの締付治具。
【発明の詳細な説明】
【技術分野】
【０００１】
この発明は、エレベーター用ガイドレールの据付時に作業者が使用する締付治具に関するものである。
【背景技術】
【０００２】
図１はエレベーター用ガイドレールの固定部分を示す正面図、図２はその平面図である。図１及び図２において、１はエレベーターの昇降路内に立設されたガイドレールである。ガイドレール１は、そのガイド部１ａによってエレベーターのかご（図示せず）の走行を案内するためのものである。ガイドレール１は、昇降路の固定体に固定された取付ブラケット２に、専用のガイドレールクリップを用いて取り付けられている。なお、３はガイドレールクリップの一種であるＢ１形と呼ばれるスライディングクリップ、４はガイドレール１の位置を調整するためのハサミ金、５は六角ボルト、６はナットである。
【０００３】
スライディングクリップ３は、地震等によって建物に変形が生じた際に、ガイドレール１や取付ブラケット２が変形してしまうことを防止するための所定の構成を有している。即ち、建物の変形によってガイドレール１に過大な鉛直方向の力が作用すると、ガイドレール１と取付ブラケット２（ハサミ金４）及びスライディングクリップ３との各間に滑りが発生し、ガイドレール１等の変形を防止する。このため、ガイドレール１の据付精度に対する地震等の影響を最小限に抑えることができる。
【０００４】
具体的に、上記スライディングクリップ３は、鋼製の板状部材が略Ｚ字状に折り曲げられることによって形成されており、その中央部に、一側及び他側間に段差を形成するための立上り部３ａが設けられている。そして、スライディングクリップ３は、その一側がガイドレール１のフランジ部１ｂに面接触するように配置され、他側が六角ボルト５及びナット６によって取付ブラケット２に固定されている。即ち、スライディングクリップ３は、バネの力を利用してフランジ部１ｂを取付ブラケット２側に押し付け、ガイドレール１を一定の保持力で支持する。更に、スライディングクリップ３は、立上り部３ａの内側部分（図中のＡ部）をフランジ部１ｂの端面に接触させ、ガイドレール１の左右方向（図中のＢ方向）の移動を阻止する。
【０００５】
上記構成のスライディングクリップ３を用いてガイドレール１を固定する場合、作業者は、例えば、スライディングクリップ３及び取付ブラケット２に形成された各貫通孔に六角ボルト５を通し、取付ブラケット２の背面２ａ側から、六角ボルト５のネジ部にナット６を回し入れる。そして、作業者は、片手（に持ったスパナ等）でナット６を押さえながら、もう片方の手でスパナ（図示せず）を用いて六角ボルト５を締め付け、上記保持力をガイドレール１に作用させる。
【０００６】
なお、ガイドレール１の固定作業は、エレベーターの据付時や改修時等に行われるものであり、作業者は、例えば、エレベーターのかご枠（図示せず）に設置された作業床上から、上記固定のために必要な作業を実施する。
【０００７】
また、下記特許文献１には、スパナやめがねレンチ等が使用できない場所においてボルトの締付及び弛緩作業を行う場合に、作業者から見て裏側に配置されたボルト頭部を、確実に固定しておくための工具も提案されている。
【先行技術文献】
【特許文献】
【０００８】
【特許文献１】特開２００９−３４７３３号公報
【発明の概要】
【発明が解決しようとする課題】
【０００９】
上記構成のスライディングクリップ３を用いてガイドレール１の固定作業を行う場合、作業者は、スパナ等を用いて六角ボルト５を締め上げる際に、その作業を片手で行うことができなかった。このため、六角ボルト５の締め付けを行うためには、作業者が一人であれば両手が必要になり、また、片手で作業床周囲の安全柵を掴むのであれば複数人の作業者が必要になってしまう。特に、作業者は、上記締付作業を足場が不安定な作業床上で行わなければならず、その作業に多大な時間と労力とを要することとなっていた。
【００１０】
なお、特許文献１に記載の工具は、その使用方法が実質的にスパナ等と同じである。このため、かかる工具を用いて上記問題を解決することはできなかった。
【００１１】
この発明は、上述のような課題を解決するためになされたもので、その目的は、スライディングクリップを用いてガイドレールを取付ブラケットに固定する際に、作業者が一人であっても、ボルトの締付作業を片手で且つ簡単に行うことができるようにするためのエレベーター用ガイドレールクリップの締付治具を提供することである。
【課題を解決するための手段】
【００１２】
この発明に係るエレベーター用ガイドレールクリップの締付治具は、エレベーター昇降路内の取付ブラケットに、六角ボルトを用いて所定のスライディングクリップを取り付ける際に使用されるエレベーター用ガイドレールクリップの締付治具であって、本体部と、本体部に設けられ、スライディングクリップに着脱自在に固定される固定部と、本体部に設けられ、固定部がスライディングクリップに固定された状態で、スライディングクリップ及び六角ボルト間に配置され、六角ボルトの回転を規制する回転規制部と、を備えたものである。
【発明の効果】
【００１３】
この発明に係るエレベーター用ガイドレールクリップの締付治具を使用することにより、スライディングクリップを用いてガイドレールを取付ブラケットに固定する際に、作業者が一人であっても、ボルトの締付作業を片手で且つ簡単に行うことができるようになる。
【図面の簡単な説明】
【００１４】
【図１】エレベーター用ガイドレールの固定部分を示す正面図である。
【図２】エレベーター用ガイドレールの固定部分を示す平面図である。
【図３】この発明の実施の形態１におけるエレベーター用ガイドレールクリップの締付治具を示す斜視図である。
【図４】この発明の実施の形態１におけるエレベーター用ガイドレールクリップの締付治具を示す側面図である。
【図５】この発明の実施の形態１におけるエレベーター用ガイドレールクリップの締付治具を示す背面図である。
【図６】図３に示す締付治具の使用方法を説明するための図である。
【図７】図６に示すＣ−Ｃ矢視図である。
【図８】図３に示す締付治具の他の使用方法を説明するための図である。
【図９】この発明の実施の形態２におけるエレベーター用ガイドレールクリップの締付治具を示す斜視図である。
【図１０】図９に示す締付治具の使用方法を説明するための図である。
【発明を実施するための形態】
【００１５】
この発明をより詳細に説明するため、添付の図面に従ってこれを説明する。なお、各図中、同一又は相当する部分には同一の符号を付しており、その重複説明は適宜に簡略化ないし省略する。
【００１６】
実施の形態１．
図３はこの発明の実施の形態１におけるエレベーター用ガイドレールクリップの締付治具を示す斜視図、図４はその側面図、図５はその背面図である。本締付治具は、エレベーターの据付時や改修時等、昇降路内の取付ブラケット２に六角ボルト５を用いてスライディングクリップ３を取り付ける際に、作業者が使用するためのものである。なお、ガイドレール１の固定が完了した時の状態は図１及び図２と同じであるため、スライディングクリップ３の構成等を含め、その詳細な説明は省略する。
【００１７】
図３乃至図５に示すように、本締付治具は、本体部及び回転規制部の双方の機能を有する断面Ｌ字状の本体板７と、本体板７と一体的に構成された固定部８とにより、その要部が構成されている。
【００１８】
本体板７は、例えば、所定の厚みを有する板状部材がＬ字状に折り曲げられることによって形成される。本実施の形態では、本体板７の長辺側７ａによって本体部を、短辺側７ｂによって回転規制部を構成する。なお、回転規制部は、スライディングクリップ３の固定作業時に、六角ボルト５の回転を規制する機能を備えた部分である。この回転規制部を構成する本体板７の短辺側７ｂは、本体部を構成する本体板７の長辺側７ａから直交する方向に伸びており、その先端部は、先端に近づくにつれてその厚みが薄くなるように形成されている。
【００１９】
固定部８は、本体板７（本締付治具）をスライディングクリップ３に着脱自在に固定する機能を有している。具体的に、固定部８は、取付板９と磁石１０とから構成される。取付板９は、例えば、断面コ字状を呈する板状部材からなり、本体板７の長辺側７ａに溶接固定される。また、磁石１０は、取付板９のコ字状部内に配置され、ボルト及びナット等からなる締結手段１１を用いて、取付板９に固定される。
【００２０】
次に、図６及び図７も参照し、上記構成を有する締付治具の機能及び使用方法について具体的に説明する。図６は図３に示す締付治具の使用方法を説明するための図、図７は図６に示すＣ−Ｃ矢視図である。
【００２１】
作業者は、スライディングクリップ３を用いてガイドレール１を固定する場合、六角ボルト５（ナット６）の最終的な締め付けを行う前に、図６及び図７に示すように、本締付治具の取り付けを行う。具体的に、作業者は、六角ボルト５をスライディングクリップ３及び取付ブラケット２に形成された各貫通孔（図示せず）に順次通した後、磁石１０をスライディングクリップ３の前面に吸着させて、締付治具をスライディングクリップ３に固定する。
【００２２】
この時、作業者は、スライディングクリップ３の立上り部３ａと六角ボルト５の頭部との間に本体板７の短辺側７ｂの先端部を挿入し、この状態のまま、スライディングクリップ３の一側（ガイドレール１を押さえ付ける側）の前面に、磁石１０を吸着固定させる。なお、本体板７の短辺側７ｂの厚みは、立上り部３ａ及び六角ボルト５の頭部の対向する側面間の距離（図１のＷ）に、また、その（短辺側７ｂ）の先端形状は、立上り部３ａの傾斜に合わせて成形されている。このため、上述したように磁石１０をスライディングクリップ３に固定することにより、本体板７の短辺側７ｂの先端部は、立上り部３ａと六角ボルト５の頭部とによって両側から挟まれるように、立上り部３ａ及び六角ボルト５の頭部間に適切に配置される。
【００２３】
このような方法によって締付治具を図６及び図７に示す状態に取り付けると、作業者は、取付ブラケット２の背面２ａ側から、六角ボルト５のネジ部にナット６を回し入れ、スパナやラチェットレンチ等を使用して、ナット６の締め付けを行う。なお、本体板７の短辺側７ｂが立上り部３ａ及び六角ボルト５の頭部間に配置されているため、ナット６の締め付けによって六角ボルト５に回転力が作用しても、六角ボルト５の頭部が本体板７の短辺側７ｂの側面に接触してその回転が阻害され、六角ボルト５がナット６とともに回転してしまうことはない。
【００２４】
また、エレベーターのガイドレール１は断面Ｔ字状を呈しており、ガイド部１ａの両側にフランジ部１ｂが設けられている。このため、ガイドレール１を取付ブラケット２に取り付ける場合、一般に、１つの取付ブラケット２に対して２つのスライディングクリップ３が使用され、スライディングクリップ３はガイドレール１の両側に取り付けられる。
【００２５】
このため、作業者は、一方のスライディングクリップ３の取り付けが終了すると、次に、反対側のスライディングクリップ３の取り付けを行う。なお、スライディングクリップ３は、ガイドレール１の両側で同じものが使用されるが、フランジ部１ｂと六角ボルト５の固定位置とに合わせて、その取付向きは反対になる。このため、上記手順によって一方のスライディングクリップ３を取り付けた場合は、締付治具の向きを反対にし、同じ締付治具を用いて他方のスライディングクリップ３の取り付けを行う。
【００２６】
上記構成を有する締付治具を使用することにより、スライディングクリップ３を用いてガイドレール１を取付ブラケット２に固定する場合に、作業者は、一人であっても、六角ボルト５（ナット６）の締め上げ作業を片手で且つ簡単に行うことができる。特に昇降工程の長いエレベーターの据付時には、スライディングクリップ３の個数も多くなる（例えば、取付ブラケット２が昇降路内に７５段必要な場合は、かご側及びつり合いおもり側を含め、１台のエレベーターにおいて、７５×８＝６００回の締付作業が必要になる）ため、本締付治具は、特に有効な手段となり得る。
【００２７】
なお、図８は、図３に示す締付治具の他の使用方法を説明するための図である。
作業者がスパナ等を使用してナット６の締め付けを行うと、六角ボルト５はＤ方向に力を受ける。このため、締付治具が図６に示す位置に配置されていると、六角ボルト５の頭部の一角部（図８に示すＥ部）が本体板７の短辺側７ｂの側面に強く押し付けられ、側面に喰い込んでしまう恐れがある。
【００２８】
図８は、このような不具合を防止するため、本体板７の短辺側７ｂを六角ボルト５の頭部の上記一角部（図８に示すＥ部）よりも下方に配置した取り付け方を示している。
なお、反対側のスライディングクリップ３の取り付けを行う場合は、Ｆ部に示す角部が本体板７の短辺側７ｂに喰い込む恐れがある。このため、かかる場合は、本体板７の短辺側７ｂを六角ボルト５の頭部の上記一角部（図８に示すＦ部）よりも上方位置に配置すれば良い。
【００２９】
実施の形態２．
図９はこの発明の実施の形態２におけるエレベーター用ガイドレールクリップの締付治具を示す斜視図、図１０は図９に示す締付治具の使用方法を説明するための図である。
【００３０】
本実施の形態における締付治具には、規制補助板（規制補助部）１２が備えられている。規制補助板１２は、回転規制部の大きさ（本実施の形態においては、本体板７の短辺側７ｂの厚み）を、立上り部３ａ及び六角ボルト５の頭部間の距離（図１のＷ）に合わせて調整するためのものである。規制補助板１２は、例えば、所定の厚みを有する板状部材からなり、本体板７の長辺側７ａ及び短辺側７ｂにそれぞれ着脱自在に構成される。即ち、立上り部３ａ及び六角ボルト５の頭部間の距離Ｗが本体板７の短辺側７ｂの厚みと一致する場合、規制補助板１２は、図９に示すように、固定ボルト１３によって本体板７の長辺側７ａに形成されたネジ孔７ｃに固定される。かかる場合、ガイドレール１を固定する際の締付治具の取付状態は、図６及び図７で示した通りとなる。
【００３１】
一方、立上り部３ａ及び六角ボルト５の頭部間の距離Ｗが本体板７の短辺側７ｂの厚みよりも大きい場合、規制補助板１２は、図１０に示すように、固定ボルト１３によって本体板７の短辺側７ｂに形成されたネジ孔７ｃに固定される。そして、作業者は、ガイドレール１の固定時、立上り部３ａ及び六角ボルト５の頭部間に、本体板７の短辺側７ｂと規制補助板１２との双方を配置した状態で、磁石１０をスライディングクリップ３の前面に吸着固定させる（図１０参照）。
その他の構成や使用方法は、実施の形態１と同様である。
【００３２】
上記構成の締付治具であれば、立上り部３ａ及び六角ボルト５の頭部間の距離Ｗが異なる複数の据付現場において、同じ締付治具を使用して、ガイドレール１の固定作業を行うことができるようになる。
【符号の説明】
【００３３】
１  ガイドレール
１ａ  ガイド部
１ｂ  フランジ部
２  取付ブラケット
２ａ  背面
３  スライディングクリップ
３ａ  立上り部
４  ハサミ金
５  六角ボルト
６  ナット
７  本体板
７ａ  長辺側
７ｂ  短辺側
７ｃ  ネジ孔
８  固定部
９  取付板
１０  磁石
１１  締結手段
１２  規制補助板
１３  固定ボルト
【図１】
2012086960.tif 000003
【図２】
2012086960.tif 000004
【図３】
2012086960.tif 000005
【図４】
2012086960.tif 000006
【図５】
2012086960.tif 000007
【図６】
2012086960.tif 000008
【図７】
2012086960.tif 000009
【図８】
2012086960.tif 000010
【図９】
2012086960.tif 000011
【図１０】
2012086960.tif 000012